(57)【要約】【課題】  本発明は、連結部の突出形状を大として鼻からのずり落ちを防止し、各眼マスク部の平面内面部に設けた遮光壁により外光の入光を防止することを目的とする。【解決の手段】  本発明によるアイマスクは、連結部（１Ａ）で連結された第１、第２眼マスク部（２、３）の連結部（１Ａ）の突出形状を大とし、各眼マスク部（２、３）の平面内面部（６Ａ）に遮光壁（１６）を形成し、鼻（２０）からのずれ防止と遮光を達成する構成である。【選択図】図１
2009011772.tif 000002
【特許請求の範囲】
【請求項１】
連結部（１Ａ）によって接続され複数の小孔（４）を有する第１、第２眼マスク部（２、３）と、前記第１、第２眼マスク部（２、３）に各々接続されたつる部（１１）と、よりなるアイマスクにおいて、前記第１、第２眼マスク部（２、３）の外側内面に形成され手前方向に突出する一対の遮光壁（１６）を有し、前記連結部（１Ａ）は凸状に形成され前方へ突出していることを特徴とするアイマスク。
【請求項２】
前記連結部（１Ａ）の各根元部（１Ａａ）からの突出高さ（Ｈ）は、前記各根元部（１Ａａ）間の根元間隔（Ｄ１）の少なくとも１／２であることを特徴とする請求項１記載のアイマスク。
【請求項３】
前記第１、第２眼マスク部（２、３）の前記外側内面には、全体形状がＣ字型をなし、前記各遮光壁（１６）に連通する平面内面部（６Ａ）が形成されていることを特徴とする請求項１又は２記載のアイマスク。
【請求項４】
前記第１、第２眼マスク部（２、３）、連結部（１Ａ）、遮光壁（１６）及び平面内面部（６Ａ）は、樹脂で一体に連結した一体成形よりなることを特徴する請求項３記載のアイマスク。
【発明の詳細な説明】
【技術分野】
【０００１】  本発明は、アイマスクに関し、特に、各眼マスク部間の連結部を前方に十分突出させて鼻からずり落ちないようにし、各眼マスク部の外側内面に遮光壁を設けて遮光し、顔面に装着した時の装着性を向上させると共に、一体成形によるコストダウンを達成するための改良に関する。
【背景技術】
【０００２】  従来、用いられていたこの種のアイマスクとしては、例えば、特許文献１に開示された構成を挙げることができる。
すなわち、一対の眼マスク部の外側内面には遮光壁がなく、各眼マスク部間を接続する連結部も突出量の少ない凸部で形成されていた。【０００３】
【特許文献１】特開２００４−８７３６号公報
【発明の開示】
【発明が解決しようとする課題】
【０００４】  従来のアイマスクは、以上のように構成されているため、次のような課題が存在していた。
すなわち、各眼マスク部を連結する連結部の突出が小さい凸部であるため、通常のアイマスクの使用時、及びアイマスクを下へ下げて裸眼でみる場合に、鼻部への止まり具合が悪く、使用勝手がよくなかった。
また、各眼マスク部の外側内面が平坦のみであったため、目の目尻部分から外光が入りやすく、まぶしい等の弊害もあった。
また、各眼マスク部の外側内面の平坦部分がわずかであるため、顔面への装着性が十分でなく、外光が入り込むことがあった。
【課題を解決するための手段】
【０００５】  本発明によるアイマスクは、連結部によって接続され複数の小孔を有する第１、第２眼マスク部と、前記第１、第２眼マスク部に各々接続されたつる部と、よりなるアイマスクにおいて、前記第１、第２眼マスク部の外側内面に形成され手前方向に突出する一対の遮光壁を有し、前記連結部は、凸状に形成され前方へ突出している構成であり、また、前記連結部の各根元部からの突出高さは、前記各根元部間の根元間隔の少なくとも１／２である構成であり、また、前記第１、第２眼マスク部の前記外側内面には、全体形状がＣ字型をなし、前記各遮光壁に連通する平面内面部が形成されている構成であり、また、前記第１、第２眼マスク部、連結部、遮光壁及び平面内面部は、樹脂で一体に連結した一体成形よりなる構成である。
【発明の効果】
【０００６】  本発明によるアイマスクは、以上のように構成されているため、次のような効果を得ることができる。
すなわち、各眼マスク部間の連結部の凸部形状は、その両端の各根元部からの突出高さが根元間隔の少なくとも１／２であるため、鼻との接合性が良好で、アイマスクの通常使用時、及びアイマスクを下にずらせた状態でも、連結部が鼻の形状に沿い、ずり落ちもなく、優れた装着性を発揮することができる。
また、各眼マスク部の外側内面に平面内面部と遮光壁が形成されているため、顔面への装着性が良好で、かつ、外部からの外光の入光を抑えることができ、快適な遮光状態を得ることができる。
また、各眼マスク部、連結部、遮光壁及び平面内面部は、樹脂一体成形のため、高精度かつ安価にできる。
【発明を実施するための最良の形態】
【０００７】  本発明は、各眼マスク部間の連結部を前方に十分突出させて鼻からずり落ちないようにし、各眼マスク部の外側内面に遮光壁を設けて遮光し、顔面に装着した時の装着性を向上させると共に、一体成形によるコストダウンを達成したアイマスクを提供することを目的とする。
【実施例】
【０００８】  以下、図面と共に本発明によるアイマスクの好適な実施の形態について説明する。図１において符号１で示されるものはアイマスクであり、このアイマスク１は、主として、凸半球状の表壁５を有する第１、第２眼マスク部２、３、連結部１Ａ、複数の小孔４、各眼マスク部２、３に形成された凸形部２Ａ、３Ａ、凹形部２Ａ″、３Ａ″、各眼マスク部２、３の外側に外端小孔部１２に設けられた軸支１２Ａを介して設けられた一対のつる部１１、つる部１１に設けられたＯリング１５により構成されている。【０００９】  前記連結部１Ａは、従来の連結部１Ａよりも前方へ大きく突出する凸状で形成され、その形状は、図５に示されるように、その各根元部１Ａの間の根元間隔Ｄ１に対して少なくとも１／２又はそれ以上（実験の結果、この範囲が良好である）となる突出高さＨを有するように構成され、図６で示されるように、連結部１Ａが鼻２０で止まるように構成されている。
すなわち、アイマスク１を顔面に装着した場合、及びアイマスク１を下方にずらす時に、鼻２０と係合してずり落ちが防止でき、また、アイマスク１を下方にずらせて裸眼で外をみる時も連結部１Ａが鼻２０に係合し、ずり落ちが防止される。【００１０】  また、前記つる部１１の後部の溝１４内に係合されたＯリング１５は、アイマスク１を顔面に装着した場合の、ずり落ち防止に効果的である。【００１１】  前記各眼マスク部２、３の内面に形成された輪状縁部６には、その内側に各鼻当部１７が形成されていると共に、その外側内面には、全体形状がＣ字型をなす平面内面部６Ａが形成され、この各平面内面部６Ａにはこれと連通して手前方向（すなわち、前記平面内面部６Ａに対して直交する内方）に突出して形成された遮光壁１６が形成されている。【００１２】  従って、前述の各眼マスク部２、３、連結部１Ａ、各遮光壁１６等は、樹脂による一体成形で形成され、形状寸法も高精度に仕上げられると共に、安価に作ることが可能である。【００１３】  前述のアイマスク１を顔面に装着すると、各眼マスク部２、３の輪状縁部６及び平面内面部６Ａが顔面に確実に接合して装着されると共に、各遮光壁１６により外部からの外光の入光が防止され快適な装着状態を得ることができる。
また、前記連結部１Ａが前述のように構成されているため、連結部１Ａが鼻２０に接合して係合し、ずり落ち等を防止することができる。
【図面の簡単な説明】
【００１４】
【図１】  本発明によるアイマスクの正面図である。
【図２】  図１の断面図である。
【図３】  図２の一部の断面図である。
【図４】  図１の裏面図である。
【図５】  図１の平面図である。
【図６】  図５の顔面装着図である。
【図７】  図１の斜視図である。
【符号の説明】
【００１５】  １              アイマスク
１Ａ            連結部
１Ａａ          根元部
２              第１眼マスク部
３              第２眼マスク部
２Ａ、３Ａ      凸形部
２Ａ″、３Ａ″  凹形部
４              小孔
５              表壁
Ｄ              深さ
６              輪状縁部
６Ａ            平面内面部
１１              つる部
１２              外端小孔部
１２Ａ            軸支
１４              溝
１５              Ｏリング
１６              遮光壁
１７              鼻当部
２０              鼻
Ｄ１              根元間隔
Ｈ                突出高さ
【図１】
2009011772.tif 000003
【図２】
2009011772.tif 000004
【図３】
2009011772.tif 000005
【図４】
2009011772.tif 000006
【図５】
2009011772.tif 000007
【図６】
2009011772.tif 000008
【図７】
2009011772.tif 000009